(57)【要約】【課題】外部装置に表示させる画像を、外部装置に出力させる前にその場で簡単に選択できる再生装置を提供する。【解決手段】表示制御部２８ａが、外部装置３２に出力する出力画像の準備を行うための準備画面ａ０を表示部２３に表示させる。準備画面ａ０には、縮小画像が複数表示される候補画面ａ２と、現在出力されている画像である出力画面ａ１が表示される。操作者は、候補画面ａ２上で操作部２９を操作して出力画像を選択し、その後、適当なタイミングでＯＫボタン２９ａにより出力の指示を行う。出力画像制御部２８ｂは、現に準備画面ａ０が表示部２３に表示されている状態で、候補画面ａ２で指示された画像を出力する。【選択図】図２
2007104338.tif 000002
【特許請求の範囲】
【請求項１】
画像を表示する表示部と、
外部装置に出力する出力画像の準備を行うための準備画面を表示部に表示させる表示制御部と、
準備画面上で出力画像に関する指示を行わせる操作部と、
現に準備画面が表示部に表示されているときに、準備画面で準備された画像であって、準備画面自体の画像とは異なる画像を、出力画像として出力する出力画像制御部と、を備える
ことを特徴とする再生装置。
【請求項２】
前記表示制御部は、前記準備画面として、出力させる画像または出力させない画像を選択するための候補画面を表示させ、
前記操作部は、外部装置に出力させる画像または出力させない画像を選択する
ことを特徴とする請求項１記載の再生装置。
【請求項３】
前記表示制御部は、候補画面に、出力画像の候補となる候補画像を複数表示させる  
ことを特徴とする請求項２記載の再生装置。
【請求項４】
前記表示制御部は、候補画面として、候補画像を縦横に複数並べたマルチ画面形式で表示させる
ことを特徴とする請求項３記載の再生装置。
【請求項５】
前記表示制御部は、候補画面として、候補画像を撮影日時でグループ化したカレンダー形式で表示させる
ことを特徴とする請求項３記載の再生装置。
【請求項６】
前記表示制御部は、前記準備画面に、候補画面ともに出力画像を表示させる
ことを特徴とする請求項２記載の再生装置。
【請求項７】
前記表示制御部は、出力画像を候補画面の候補画像より大きなサイズで表示させる
ことを特徴とする請求項６記載の再生装置。
【請求項８】
操作部の一連の操作により選択された出力画像の順番を記憶する記憶部を備え、
前記出力画像制御部は、記憶部に記憶された出力画像の順番で画像を出力する
ことを特徴とする請求項２記載の再生装置。
【請求項９】
外部装置に画像を出力するときに、上記準備画面を表示させるモードの他に、準備画面を表示させない通常画面表示モードを実行させる制御部を備える
ことを特徴とする請求項１記載の再生装置。
【請求項１０】
請求項１乃至９に記載の再生装置を搭載した、
ことを特徴とするカメラ。
【請求項１１】
画像を表示する表示部を備え、外部装置に画像を出力する再生装置における制御方法であって、
外部装置に出力する出力画像の準備を行うための準備画面を表示部に表示させ、
準備画面上での出力画像に関する準備指示に応じて、
現に準備画面が表示部に表示されているときに、準備画面で準備された画像であって、準備画面自体の画像とは異なる画像を、出力画像として出力する
ことを特徴とする制御方法。
【請求項１２】
画像を表示する表示部を備え、外部装置に画像を出力する再生装置における制御方法をコンピュータ実行させるためのプログラムであって、
上記制御方法は、
外部装置に出力する出力画像の準備を行うための準備画面を表示部に表示させ、
準備画面上での出力画像に関する準備指示に応じて、
現に準備画面が表示部に表示されているときに、準備画面で準備された画像であって、準備画面自体の画像とは異なる画像を、出力画像として出力する
ことを特徴とするプログラム。
【請求項１３】
画像を表示する表示部を備え、外部装置に画像を出力する再生装置における制御方法をコンピュータ実行させるためのプログラムを記憶したコンピュータ読み取り可能な記録媒体であって、
上記制御方法は、
外部装置に出力する出力画像の準備を行うための準備画面を表示部に表示させ、
準備画面上での出力画像に関する準備指示に応じて、
現に準備画面が表示部に表示されているときに、準備画面で準備された画像であって、準備画面自体の画像とは異なる画像を、出力画像として出力する
ことを特徴とする記録媒体。
【発明の詳細な説明】
【技術分野】
【０００１】
この発明は、画像の再生装置に関するもので、特に再生装置に接続された外部装置に、再生装置から出力された画像を表示等するプレゼンテーション等の場面に適した再生装置に関する。
【背景技術】
【０００２】
デジタルカメラで撮影された画像の鑑賞方法として、内蔵のＬＣＤあるいはパソコン画面への表示またはプリントが一般的な鑑賞方法として知られている。そして、デジタル画像は、個人的に楽しむ他に、みんなで見たり、あるいは業務の場面、例えば会議でのプレゼンテーションや商品説明での利用用途も多い。デジタルカメラには家庭用ＴＶに出力させるためのビデオ出力が設けられ、ＴＶとケーブルで接続されＴＶに画像を表示させての利用もされる。また、デジタルカメラにはパソコンに画像を出力させるためのＩＦ（例えばＵＳＢ（Universal Serial Bus））も設けられ、パソコン経由でプロジェクタで拡大表示させることもされる。また、最近は撮影機能のない再生専用の再生装置（いわゆるビュワー）も商品化され、みんなで見たり、あるいは業務の場面で同様な利用がなされる。
【０００３】
一方、デジタルカメラまたは再生装置には、主にカラーＬＣＤからなる表示部がほとんど内蔵されている。図１２は、デジタルカメラの内蔵表示部と外部装置の表示画像の対応の１例を示す図である。このタイプのデジタルカメラでは、内蔵表示装置は外部装置と同等なものと位置づけられているので、内蔵表示部１０２には外部装置１０３へ出力すると同一画像を表示させる。あるいは、外部装置への送信ケーブルの接続が検出されると、内蔵表示部への表示を中止するタイプのデジタルカメラもある。主に節電のためである。このタイプのデジタルカメラでは、操作者は外部装置のみを見ながら画像の送り操作等をすることになる。
【０００４】
一方、画像再生の方法としては、記録媒体に記録された画像を操作者が１つづつ順番で再生するやり方と、番号順に自動再生されるスライドショーがよく知られている。そして、このスライドショーをより使いやすくする手法として、任意の画像のみを任意の順序でスライドショー表示される手法が提案されている（特許文献１）。
【０００５】
また、上記プレゼンテーションを意識した表示方法としては、画像の相互比較を容易にするために、操作者が複数の画像を任意に配置して表示できる画像再生装置も提案されている（特許文献２）。
【特許文献１】特開２００３−２８８０６８号公報
【特許文献２】特開２００４−２６０７６８号公報
【発明の開示】
【発明が解決しようとする課題】
【０００６】
カメラに記録されている画像の中には、表示させたくない画像、つまり他人に見せたくない画像が含まれている場合もある。また、プレゼンテーションの場面では、不要な画像を省略して必要な画像のみをスピーディに再生させたい要望も多い。
【０００７】
つまり、画像を個人的に楽しむ場合には、上記説明したような１コマ再生やスライドショー等での再生で十分であるが、しかし、プレゼンテーション等で多人数に表示に見せるような場合には、見せる画像と隠す画像を選択したり、見せる順番も任意にできることが必要になる。
【０００８】
対して従来のカメラでは、例えば操作をすばやくしたとしても、見せたくない画像が短時間は表示されてしまう。また、特許文献２で紹介したような装置を使用すれば、事前に見せる画像と見せない画像を選択することで対処も可能ではあるが、事前準備を要する点で使い勝手に問題がある。また、プレゼンテーションの最中に追加変更することはできないという問題がある。
【０００９】
つまり、外部装置を使用するプレゼンテーションのような場面で、皆に見せる前に外部装置に出力させる画像の選択が簡単にできるような再生装置が求められる。しかし、従来のデジタルカメラでは、カメラ内蔵表示部に表示されるのと同一画像が外部装置に表示されるか、あるいは内蔵表示部への表示が中止され外部装置のみに画像が表示されるかのいずれかなので、見せる前にその場で簡単に操作者の意思で画像選択をすることはできなかった。
【００１０】
この発明は、このような事情を考慮してなされたものであり、外部装置に表示させる画像を、外部装置に出力させる前にその場で簡単に選択できる再生装置、カメラ、および制御方法、制御方法のプログラムを提供することを目的とする。
【課題を解決するための手段】
【００１１】
１）前述した目的を達成するために、この発明の再生装置は、画像を表示する表示部と、
外部装置に出力する出力画像の準備を行うための準備画面を表示部に表示させる表示制御部と、準備画面上で出力画像に関する指示を行わせる操作部と、現に準備画面が表示部に表示されているときに、準備画面で準備された画像であって、準備画面自体の画像とは異なる画像を、出力画像として出力する出力画像制御部と、を備えることを特徴とする。
【００１２】
ここで、表示部は表示部２３、表示制御部は表示制御部２８ａ、操作部は操作部２９、出力画像制御部は出力画像制御部２８ｂ、再生装置は画像再生装置２０に、それぞれ実施例では相当する。また、外部装置は外部装置３２に相当する。
２）さらに１）において、前記表示制御部は、前記準備画面として、表示させる画像または表示させない画像を選択するための候補画面を表示させ、前記操作部は、外部装置に表示させる画像または表示させない画像を選択することを特徴とする。
【００１３】
ここで、準備画面は準備画面ａ０に、候補画面は候補画面ａ２に実施例では相当する。
３）この発明の制御方法は、画像を表示する表示部を備え、外部装置に画像を出力する再生装置における制御方法であって、外部装置に出力する出力画像の準備を行うための準備画面を表示部に表示させ、準備画面上での出力画像に関する準備指示に応じて、現に準備画面が表示部に表示されているときに、準備画面で準備された画像であって、準備画面自体の画像とは異なる画像を、出力画像として出力することを特徴とする。
【発明の効果】
【００１４】
この発明によれば、外部装置に表示させる画像をその場で簡単に選択できる再生装置、制御方法、カメラ等を提供できる。
【発明を実施するための最良の形態】
【００１５】
以下、図面を参照してこの発明の実施形態について説明する。
【実施例１】
【００１６】
この発明の第１実施例について説明する。ここでは、本発明の再生装置がデジタルカメラ（以下、カメラと称する）の再生装置に適用された場合の例を示す。図１は、本実施形態に係るカメラ１と、このカメラに外部装置としての大型のテレビ装置が接続された様子を示す外観図である。会議等のプレゼンテーションやパーティの場面では、多人数で画像が見られるように、このような大型のテレビ装置やプロジェクタがカメラの画像表示装置として利用される。
【００１７】
カメラ１は、例えば大型テレビ装置である外部装置３２にビデオケーブルで接続される。カメラ１の外部出力端子から、ビデオケーブルを介して画像信号（ビデオ信号）が外部装置３２に出力され、撮影された画像が外部装置３２の画面に表示される。また、外部装置３２として、パーソナルコンピュータ（ＰＣ）を経由してのプロジェクタが利用される場合もある。この場合には、カメラとＰＣが例えばＵＳＢ（Universal Serial Bus）ケーブルで接続され、カメラから出力されるデジタルデータがＰＣを経由してプロジェクタで、スクリーンに拡大表示される。
【００１８】
図１のカメラはカメラ１の背面外観を示す。カメラ１の背面には、撮影した画像が表示される表示部の表示面２３ａが設けられている。また、表示面２３ａの右横には、各種操作部として、円盤形状のＸＹ操作部２９ｂと、ＸＹ操作部２９ｂの中央にＯＫボタン２９ａが設けられている。ＸＹ操作部２９ｂは、画面２３ａ上で右方向の操作指示をする右ボタン２９ｒ、左方向を指示する左ボタン２９ｌ、上方向を指示する上ボタン２９ｕ、下方向を指示する下ボタン２９ｄ、の４つから構成されている。
【００１９】
そして、詳細は後述するが、表示面２３ａには準備画面が表示され、この準備画面上で、使用者の操作部２９の操作によって選択された任意の画像が、外部装置３２に出力される。つまり、使用者の意図に合わせた画像のみを、他人に画像として見せることができる。
【００２０】
図２は、本願発明の再生装置を内蔵するカメラ１の主要ブロック図である。カメラ１は、大きく分けて主に画像を撮影する撮像装置１０と、主に撮影された画像を再生する再生装置２０の２つのブロックから構成される。
【００２１】
撮像装置１０には、被写体像を結像させるレンズ１１と、被写体像を画像信号に変換する撮像素子１２と、画像信号を増幅及びＡ/Ｄ変換等処理する撮像部１３が設けられている。
【００２２】
再生装置２０には、画像データを一時的に記憶するＲＡＭ２１、画像データにγ補正やホワイトバランス処理をしたり、また表示のための処理や圧縮伸長処理を行う画像処理部２２が設けられる。画像処理部２２には、準備画面を作成する準備画面作成部２２ａが備えられる。また再生装置２０には、撮影中のモニタ画像を表示したり再生画像を表示する例えばＬＣＤから成る表示部２３、フラッシュメモリ等から構成され画像データを保存記録する記録媒体２４が設けられる。
【００２３】
さらに再生装置２０には、カメラから外部に画像を出力する外部出力部２５が設けられる。そして外部出力部２５は、画像を例えばビデオ信号のようなアナログ出力するアナログ出力Ｉ/Ｆ部２５ｂと、画像をデジタル出力するデジタル出力Ｉ/Ｆ部２５ｂから構成される。アナログ出力Ｉ/Ｆ部２５ａの端子には、外部装置３２の一種であるテレビジョン３２ａが接続される。デジタル出力部Ｉ/Ｆ部２５ｂは、例えばＵＳＢ（Universal Serial Bus）仕様で構成される。デジタル出力Ｉ/Ｆ２５ｂの端子には、プロジェクタ３２ｃと組み合わさるパーソナルコンピュータ３２ｂが接続される。
【００２４】
カメラ１の全体制御を統括するのがＣＰＵ２８である。ＣＰＵ２８には、ＣＰＵ２８に読み込まれる制御プログラムを格納するＲＯＭ２７、ＸＹ操作部２９ｂ等から構成される操作部２９等が接続されている。そしてＣＰＵ２８は、撮像装置１０ともバスラインで接続されこれを制御する。また、ＣＰＵ２８は、制御プログラムを読み込んで実行することにより、表示画像制御部２８ａと出力画像制御部２８ｂを機能部として有する。なお、ＲＯＭ２７は、制御プログラム以外に保存用のデータも記憶される。
【００２５】
次に、このカメラ１の撮影再生動作を簡単に説明する。まず、撮影動作から説明する。被写体像はレンズ１１を通過して撮像素子１２で画像信号に変換される。そしてこの画像信号は撮像部１３で増幅やＡ/Ｄ変換されて画像データとして再生装置２０側に出力される。続いて、画像データはワークエリアであるＲＡＭ２１に一時的に格納され、画像処理部２２でγ補正やホワイトバランス処理がされ、さらに圧縮処理される。圧縮処理された画像データは記録媒体２４に記録されて撮影が完了する。また撮影中には、画像データが画像処理部２２で表示画像用の処理がされ、モニタ画像として表示部２３に表示される。
【００２６】
次に再生動作を説明する。操作部２９の操作に従って指定される画像が記録媒体２４から読み出され、画像処理部２２で伸長処理される。さらに画像処理部２２で伸長された画像データが表示用処理されて表示部２３に表示される。この表示部２３への表示処理は表示画像制御部２８ａによって実行される。また、テレビジョン３２ａが接続されている場合には、伸長された画像データをＤ/Ａしさらにビデオ信号化して、アナログ出力Ｉ/Ｆ部２５ａから出力させる。また、パーソナルコンピュータ３２ｂが接続されている場合には、デジタル出力Ｉ/Ｆ部２５ｂから、圧縮画像データがパーソナルコンピュータ３２ｂに出力される。以上の画像出力は出力画像制御部２８ｂが制御する。
【００２７】
図３から図５は、実施例１について、プレゼンテーションモードに設定されたカメラ１の具体的な内容を説明する図である。ここで、プレゼンテーションモードとは、本願発明のカメラに備えられた再生モードの中の１つモードである。プレゼンテーションモードでは、以下で詳述するように準備画面上で画像を選択させて画像が出力させるモードである。
【００２８】
図３（Ａ）から（Ｅ）は、実施例１において、表示部２３の表示画面ａ０上の表示と出力される画像の関係を示す図である。カメラ１は既にプレゼンテーションモードに設定されているとする。同図（Ａ）の左側が表示画面２３ａ、右側が外部装置３２の画面を示している。
【００２９】
表示画面２３ａにはプレゼンテーション用の画面である準備画面ａ０が表示されている。準備画面ａ０は、出力画面ａ１と候補画面ａ２の２つの画面から構成される。この準備画面ａ０の表示は、表示画像制御部２８ａと準備画面作成部２２ａによって行われる。
【００３０】
出力画面ａ１は、下から１／４より上の画面を表示領域とし、現在カメラより出力中の画像である出力画像を表示する画面である。候補画面ａ２は、画面の下部１／４程度を表示領域とし、出力候補画像を複数表示され、これから出力させる画像を選択する画面である。
【００３１】
候補画面ａ２には、複数の縮小画像が横に並べて表示される。これは、記録媒体２４に記録された画像から画像番号順に選択された４つの画像である。画像番号は原則として撮影の古い順にカメラ内部で自動的に付番される番号である。そして、番号の若い順番に左から並べられ、本例では画像番号Ｎｏ１２を先頭にして、Ｎｏ１３、１４，１５の画像が順番に並べられる。
【００３２】
ここで現在の出力画像には、Ｎｏ１２の画像が選ばれているとする。出力画面ａ１には、現在出力中の画像としてＮｏ１２の画像が表示される。そして出力画像制御部２８ｂにより、出力端子よりＮｏ１２の画像が出力される。出力画像制御部２８ｂはまた接続された外部装置３２の種類に合わせてアナログ出力、デジタル出力いずれかあるいは両方を出力させる。
【００３３】
一方、候補画面ａ２のＮｏ１３の画像には、事前の操作によって太枠表示であるカーソルｃが付帯されている。カーソルｃは、候補画面ａ２の画像の中での、現在の出力画像またはその前段階である選択画像を示すカーソルである。ただしカーソルｃを置いただけでは出力画像の決定にはならない。
【００３４】
次に、同図（Ｂ）のように、ＯＫボタン２９ａが操作されたとする。この操作が通知されると、出力画像制御部２８ｂが、出力画像をＮｏ１２の画像から、同図（Ａ）でカーソルｃが付帯されたＮｏ１３の画像（選択画像）に切換える。そして同図（Ａ）から同図（Ｃ）で示すような画面に切換る。つまり準備画面ａ０の出力画面ａ１には、新たな出力画像としてＮｏ１３の画像が表示される。同時に、外部出力部２５からはＮｏ１３の画像が出力され、外部装置３２にはＮｏ１３の画像が表示される。また、候補画面ａ２には、縮小画像が全体に一コマづつ左に移動するように表示される。本例では、Ｎｏ１３，１４，１５，１６の順番で画像が表示される。これは、出力画像の切換えが行われた後には、候補画像を自動的に１つ進ませた方が、次の画像選択に便利と考えるからである。
【００３５】
次に、同図（Ｄ）のように、ＸＹ操作ボタンの右ボタン２９ｒが３回操作されたとする。この操作が通知されると、表示画像制御部２８ａは、カーソルＣを右に３つ、つまりＮｏ１６の位置に移動させて、Ｎｏ１６の画像を選択画像とする。つまり、カーソルｃを操作方向と操作回数に応じて分移動させる。これにより、準備画面ａ０の表示は、同図（Ｃ）から同図（Ｅ）に切換る。
【００３６】
続いて、同図（Ｆ）のように、ＯＫボタン２９ａが操作されたことが通知されると、出力画像制御部２８ｂが、出力画像をＮｏ１３の画像から新たな選択画像であるＮｏ１６の画像に切換える。そして同図（Ｅ）から同図（Ｇ）の状態に切換る。つまり、出力画面ａ１にはＮｏ１６の画像が表示され、外部装置３２にはＮｏ１６の画像が表示される。また、候補画面ａ２には、縮小画像が全体に一コマづつ左に移動して表示される。本例では、Ｎｏ１４，１５，１６、１７の順番で縮小画像が表示される。候補画像を自動的に１つ進ませる目的は、前述したと同じ目的からである。
【００３７】
図５は、図４で説明した第１の実施例についての、制御処理の手順を示すフローチャートである。以下の処理は、主に表示制御部２８ａ、出力画像制御部２８ｂ、準備画像作成部２２ａによって実行される。
【００３８】
まずカメラ１が再生モードに設定されているとする。次に、カメラがプレゼンテーションモードに設定されているかを判断し（ステップＳ１）、プレゼンテーションモードでなく通常画面表示モードであれば（ステップＳ１Ｎｏ）、通常画面表示を行わせる（ステップＳ２）。
【００３９】
プレゼンテーションモードか通常画面表示モードの選択は、操作者による操作部２９の指示によって選択される。通常画面表示モードでは、準備画面は表示せずに、外部装置の接続が検知されると、表示部２３への表示を中止するように制御する。ただし、図１２で説明したような、表示部２３に表示させている画像と同一の画像を外部出力部２５から出力させるよう制御しても良い。
【００４０】
一方、プレゼンテーションモードに設定されているときには（ステップＳ１Ｙｅｓ）、表示面２３ａにプレゼンテーション用の画面である準備画面ａ０を表示させる（ステップＳ３）。準備画面ａ０は、図４（Ａ）で示す画面である。次に準備画面ａ０の候補画面ａ２上で、ＸＹ操作ボタン２９ｂの操作により選択画像が変更されたかを判断する（ステップＳ４）。選択画像の変更がないとき（ステップＳ４Ｎｏ）にはステップＳ６に進む。
【００４１】
ＸＹ操作ボタン２９ｂの操作があり（図４（Ｂ））、選択画像が変更されたときには（ステップＳ４Ｙｅｓ）、図４（Ｃ）のようにカーソルの位置を操作回数と操作方向に応じて移動させて、新たな選択画像を明示させる（ステップＳ５）。
【００４２】
次に、ＯＫボタン２９ａの操作通知、つまり出力画像の決定指示があったかを判断する（ステップＳ６）。ＯＫボタン２９ａの操作がないとき（ステップＳ６Ｎｏ）にはステップＳ１に戻る。ＯＫボタン２９ａの操作があったときには（ステップＳ６Ｙｅｓ）、現選択画像の画像信号を外部装置に出力させる（ステップＳ７）。そして、出力画面の変更等を行って準備画面ａ０を変更し（ステップＳ８）、ステップ１に戻る。
【００４３】
また、上記説明では次に表示させる画像を選択する例で説明したが、逆に表示させない画像を選択するようにしても、同様の効果が得られる（非表示選択）。具体的には、画像が順番に一定時間再生されるいわゆるスライドショー再生の場合に、表示制御部２８ａは候補画面ａ２にこれから出力される画像が順に表示させる。その出力順番のくる前に、操作者が候補画面ａ２上で表示させたくない画像があったら、操作部２９によりこれを選択する。出力画像制御部２８ｂは、選択された画像については、出力せずに飛ばして、選択されていない次の画像を出力させる。以上のようにして実現される。
【００４４】
次に、上記で説明したような操作手順をプログラムとして記憶させて同じ操作手順を再現する機能について説明する。図６は、図４，５で説明した手順によって再生された画像の１例について、画像番号と再生時間を順番に表にした図である。この表は、プレゼンテーションの１場面で、最初にＮｏ１２の画像を５秒再生、続いてＮｏ１４の画像を３秒再生、以下略  というような順番に画像再生が実行されたことを示す。そしてこのプレゼンテーション実行中に、表のような順番と画像番号と表示時間のデータを順次ＲＡＭ２１に記憶していく。更にこのプレゼンテーションの終了後に、この表に相当する一連のデータをまとめてＲＯＭ２７に記憶させる。これで、一連の操作手順が記憶される。そして、再度その操作手順で画像再生を行いたい場合には、所定の操作によって、このデータをＲＯＭ２７から読み出して、自動的に同一の順番と再生時間で画像再生することができるようになる。なお、これら一連の処理も、ＣＰＵ２８（特に表示制御部２８ａ、出力画像制御部２８ｂ）、および準備画像作成部２２ａによって実行される。
【００４５】
プレゼンテーションの場面では、同じ説明を再度行いたいという場合もある。上記のように操作手順を記憶させておくことで、何度も同じ操作をマニュアルでやる手間が省くことができる。
【００４６】
以上のように、出力画像とは異なる表示の準備画面をカメラの表示部に表示させ、この準備画面で出力候補を選択できるようにしたので、他人に見られることなく出力画像を選択することができる。また、準備画面に出力画像も表示させるので、どの画像が現在表示中かも、外部装置を見ないでも簡単に判る。また、操作手順を記憶させておけば、再度利用することもできる。
【実施例２】
【００４７】
この発明の第２実施例について説明する。この実施例は、準備画面にマルチ画面表示形式を適用した例である。本例カメラのブロック図は、第１の実施例のブロック図と同様なので図は省略するが、以下説明では同一の符号を使用する。また、本例では、準備画面と候補画面は同一になるが、以下説明上準備画面と称す。
【００４８】
図７（Ａ）から（Ｅ）は、実施例２において、表示部３２の表示画面ａ０の表示と出力される画像の関係を示す図である。カメラ１は既にプレゼンテーションモードに設定されているとする。
【００４９】
図４と同様に、図７（Ａ）の左側が準備画面ａ０で、右側が外部装置３２の画面を示す。準備画面ａ０には縦横３個づつで計９個の縮小画像が表示されている。この９個の縮小画像は、記録媒体２４の中の画像で、左上から右下に向かって、撮影日時を基準とした画像番号の順に並んでいるものとする。本例では、準備画面ａ０全体が候補画面ａ２になっていて、９個の縮小画像が候補画像である。
【００５０】
画面中央の縮小画像が現在出力されている画像とし、中央の縮小画像に太枠のカーソルｃが付帯されている。カーソルｃは、候補画像の中で現在の出力画像またはその前段階である選択画像を示すカーソルである。外部装置３２には、カーソルｃが付帯されている中央の縮小画像と同じ画像が表示されている。
【００５１】
ここで、同図（Ｂ）のようにＸＹ操作ボタンの右ボタン２９ｒが１回操作され、続いてＯＫボタン２９ａが操作されたとする。準備画面ａ０は、同図（Ａ）から同図（Ｃ）に示す画面に切換る。
【００５２】
同図（Ｃ）に示すように、右ボタン２９ｒの１回操作によりカーソルｃの位置が１コマ右に移動して、右列中段の画像に付帯される。右列中段の画像が選択画像となる。そして、ＯＫボタン２９ａの操作によりこの画像がカメラ１から出力され、外部装置３２に表示される。
【００５３】
次に、同図（Ｄ）のようにＸＹ操作ボタンの右ボタン２９ｒが２回操作され、続いて、ＯＫボタン２９ａが操作されたとする。準備画面ａ０は、同図（Ｃ）から同図（Ｅ）に示す画面に切換る。
【００５４】
同図（Ｅ）に示すように、右ボタン２９ｒの２回操作によりカーソルｃの位置が２コマ分移動して、中央列下段の画像に付帯される。中央列下段の画像が選択画像となる。そしてＯＫボタン２９ａの操作によりこの画像がカメラ１から出力され、外部装置３２に表示される。
【００５５】
実施例２についてのフローチャートは、第１の実施例の制御処理を説明した図５のフローチャートと同一なので、省略する。なおかかる処理は、主に表示制御部２８ａ、出力画像制御部２８ｂ、準備画面作成部２２ａによって実行される。
【００５６】
以上のように、第２の実施例では、マルチ画面表示形式上で出力候補を選択し決定するようにしたので、第１の実施例の効果に加えて、多数の画像を見ながら希望の画像を選択することが簡単にできるようになる。
【実施例３】
【００５７】
この発明の第３実施例について説明する。図９，１０が本実施例を説明する図である。この実施例は、準備画面にカレンダ画面表示形式を適用した例である。ここでいうカレンダ画面表示とは、年や月単位で作成されたカレンダ状の画面に、例えば月単位のカレンダであれば、その日を撮影日とする画像の縮小画像を各日の位置に配置して表示させ、撮影日から希望画像を検索させるという検索用の表示である。
【００５８】
なお本例カメラのブロック図は、第１の実施例のブロック図と同様なので図は省略するが、以下説明では同一の符号を使用する。また本例では準備画面と候補画面は同一になるが、以下説明上準備画面と称す。
【００５９】
図９（Ａ）から（Ｃ）は、実施例３において、表示部３２の表示画面ａ０の表示と出力される画像の第１の関係を示す図である。カメラ１は既にプレゼンテーションモードに設定されているとする。図４と同様に、図９（Ａ）の左側が準備画面ａ０で、右側が外部装置３２の画面を示す。準備画面ａ０は、ある年の２月のカレンダで、２月１日から２８日までが日単位で区分されている。そして日単位で構成された各日の下には、その日に撮影された画像を代表する画像が縮小画像で表示されている。代表画像は、その日の最初の撮影画像である。表示スペースの制限から、その日に撮影された画像の全てを表示することができないので、代表画像のみを表示させている。本例では、準備画面ａ０全体が候補画面ａ２になっていて、表示されている代表画像が候補画像になる。
【００６０】
そして、太枠のカーソルｃが２月７日に付帯されている。カーソルｃは、候補画像の中で現在の出力画像またはその前段階である選択画像を示すカーソルである。そして、現在外部装置３２にはこの２月７日の代表画像が表示されている。
【００６１】
ここで、同図（Ｂ）のようにＸＹ操作ボタンの右ボタン２９ｒが１回操作され、続いて、ＯＫボタン２９ａが操作されたとする。準備画面ａ０は、同図（Ａ）から同図（Ｃ）に示す画面に切換る。
【００６２】
つまり、同図（Ｃ）では、右ボタン２９ｒの１回操作により、カーソルＣが２月７日から右に１日分に移動し２月８日に移動する。そして、ＯＫボタン２９ａの操作により、２月８日の代表画像が出力され、出力画像として外部装置３２に表示される。
【００６３】
図１０（Ａ）から（Ｃ）は、実施例３において、表示部３２の表示画面ａ０の表示と出力される画像の第２の関係を示す図である。図１０（Ａ）は、図９（Ａ）と同じ表示状態である。
【００６４】
この図１０（Ａ）の状態で、同図（Ｂ）のようにＸＹ操作ボタンの下ボタン２９ｄが１回操作され、続いて、ＯＫボタン２９ａが操作されるとする。準備画面ａ０は、同図（Ａ）から同図（Ｃ）に示す画面に切換る。
【００６５】
つまり、同図（Ｃ）では、下ボタン２９ｄの１回操作により、２月７日の表示画像が、この日の代表画像（最初の撮影画像）からこの日の２番目の撮影画像に切換る。そして、この２番目の撮影画像にカーソルｃが付帯される。続くＯＫボタン２９ａの操作により、新たに表示された２番目の撮影画像が出力され、出力画像として外部装置３２に表示される。以上が第３実施例の操作表示例である。
【００６６】
図１１は、上記第３実施例についての制御処理の手順で示すフローチャートである。以下の処理は、主に表示制御部２８ａ、出力画像制御部２８ｂ、準備画面作成部２２ｂによって実行される。
【００６７】
まずカメラ１が、再生モードに設定された状態とする。次に、プレゼンテーションモードに設定されているかを判断し（ステップＳ１０）、プレゼンテーションモードでなく通常画面表示モードであれば（ステップＳ１０Ｎｏ）、通常画面表示を行わせる（ステップＳ１１）。
【００６８】
プレゼンテーションモードか通常画面表示モードの選択は、操作者による操作部２９の指示によって選択される。通常画面表示モードでは、準備画面は表示せずに、外部装置の接続が検知されると、表示部２３への表示を中止するように制御する。ただし、図１２で説明したような、表示部２３に表示させている画像と同一の画像を外部出力部２５から出力させるよう制御しても良い。
【００６９】
一方、プレゼンテーションモードに設定されているときには（ステップＳ１０Ｙｅｓ）、表示面２３ａにプレゼンテーション用の画面である準備画面ａ０を表示させる（ステップＳ１２）。準備画面ａ０は、カレンダ画面表示で、図９（Ａ）または図１０（Ａ）で示す画面である。次に準備画面ａ０上で、ＸＹ操作ボタン２９のうちの左右ボタン操作（２９ｒまたは２９ｌ）があったかを判断する（ステップＳ１３）。左右ボタン操作があったときは（ステップＳ１３Ｙｅｓ）、操作のボタン方向と回数に応じてカーソルを他の日付に移動させる（ステップＳ１４）。例えば図９（Ｃ）の準備画面ａ０のようにカーソルが移動する。
【００７０】
一方、左右ボタン操作がないとき（ステップＳ１３Ｎｏ）には、上下ボタン（２９ｕまたは２９ｄ）操作があったかを判断する（ステップＳ１５）。上下ボタン操作があったときは（ステップＳ１５Ｙｅｓ）、代表画像から同日撮影の他の画像に表示を切換える（ステップＳ１６）。具体的には、同日撮影画像の中から、下ボタン２９ｄ操作により、撮影時間の新しい画像を順次表示させ、上ボタン２９ｄ操作により、撮影時間の古い画像を順次表示させる。例えば図１０（Ｃ）の準備画面ａ０のように２月７日の中の撮影画像が切換る。
【００７１】
ステップＳ１４、ステップＳ１６終了後は、ステップＳ１７に進む。ステップＳ１７では、ＯＫボタン２９ａの操作による、出力画像の決定指示があったかを判断する。ＯＫボタン２９ａの操作がないとき（ステップＳ１７Ｎｏ）にはステップＳ１０に戻る。ＯＫボタン２９ａの操作があったときには（ステップＳ１７Ｙｅｓ）、現選択画像の画像信号を出力する（ステップＳ１８）。例えば図９（Ｃ）、図１０（Ｃ）で示すようにカーソルｃが付帯された画像が外部装置３２に表示される。そして、ステップＳ１０に戻る。
【００７２】
以上のように、第３実施例では、カレンダ画面表示上で出力候補を選択し決定するようにしたので、第１実施例の効果に加えて、撮影日時に基づいて画面で画像を選択表示させることも簡単にできるようになる。
【００７３】
ここで、上記３つの実施例は、ＣＰＵによるソフトウェア処理と一部のハードウェアで実行されることを説明したが、全部をソフトウェア処理またはハードウェアで構成しても当然よい。
【００７４】
また、以上の各実施例で示す制御処理は、それぞれ上記機能を実行するソフトウェアのプログラムがＣＰＵ２８に供給され、ＣＰＵ２８が供給されたプログラムに従って上記動作させることによって実現されるものである。従って、上記ソフトウェアのプログラム自体が上述した実施の形態の機能を実現することになり、そのプログラム自体は本発明を構成する。
【００７５】
また、これらのプログラムは前述のＲＯＭ２７以外の記録媒体の形式でＲＡＭ２１に記憶され、ＲＡＭ２１から読み出されて実行されても良い。記録媒体としては、フロッピィディスク（登録商標）、ＣＤ−ＲＯＭの他にも、ＤＶＤ等の光学記録媒体、ＭＤ等の磁気記録媒体、テープ媒体、ＩＣカード等の半導体メモリ等を用いることができる。
【００７６】
また、専用通信ネットワークやインターネットに接続されたサーバシステムに設けたハードディスクまたはＲＡＭ２１等の格納装置を記録媒体として使用し、通信網を介してプログラムを再生装置２０に提供してもよい。あるいは、他のアプリケーションソフト等と協働して上述の実施の形態の機能が実現される場合にも、かかるプログラムが本発明の実施の態様に含まれることはいうまでもない。
【００７７】
なお、実施例は再生装置をデジタルカメラに適用した例で説明したが、ビュワー等の単独製品である再生装置に適用できるのは当然である。また、対象とする画像を静止画として説明してきたが、動画にも当然適用できる。また、カメラも単体のデジタルカメラではなく、携帯電話のカメラ部にも適用しても当然によい。さらに、外部装置３２として、表示装置を挙げて説明したが、外部装置はプリンタ等の印刷装置であってもよい。
【００７８】
さらに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７９】
【図１】本発明の第１実施例に係るカメラを後方から見た場合の外観図
【図２】第１実施例において、カメラの概略構成を示すブロック図
【図３】第１実施例において、カメラの準備画面と外部装置の画面の関係（その１）を示す図
【図４】第１実施例において、カメラの準備画面と外部装置の画面の関係（その２）を示す図。
【図５】第１実施例において、表示制御の動作手順を示すフローチャート
【図６】第１実施例において、操作手順の一例を示す表
【図７】第２実施例において、カメラの準備画面と外部装置の画面の関係（その１）を示す図。
【図８】第２実施例において、カメラの準備画面と外部装置の画面の関係（その２）を示す図。
【図９】第３実施例において、カメラの準備画面と外部装置の画面の関係（その１）を示す図。
【図１０】第３実施例において、カメラの準備画面と外部装置の画面の関係（その２）を示す図。
【図１１】第３実施例において、カメラの表示制御の動作手順を示すフローチャート
【図１２】従来のカメラの画面と外部装置の画面に表示される画像の関係を示す図
【符号の説明】
【００８０】
１０…撮像装置、１１…レンズ、１２…撮像素子、１３…撮像部、
２０…再生装置、２１…ＲＡＭ、２２…画像処理部、２２ａ…準備画面作成部、
２３…表示部、２３ａ…表示面、
２４…記録媒体、２５…外部出力部、２５ａ…アナログ出力Ｉ／Ｆ部、２５ｂ…デジタル出力Ｉ／Ｆ部、２７…ＲＯＭ
２８…ＣＰＵ、２８ａ…表示制御部、２８ｂ…出力画像制御部、
２９…操作部、２９ａ…ＯＫボタン、２９ｂ…ＸＹ操作ボタン、２９ｒ…右ボタン、２９ｌ…左ボタン、２９ｕ…上ボタン、２９ｄ…下ボタン
３２…外部装置、３２ａ…テレビジョン、３２ｂ…パーソナルコンピュータ、
３２ｃ…プロジェクタ
ａ０…準備画面、ａ１…出力画面、ａ２…候補画面、ｂ…画像番号、ｃ…カーソル、
【図５】
2007104338.tif 000003
【図６】
2007104338.tif 000004
【図１１】
2007104338.tif 000005
【図１】
2007104338.tif 000006
【図２】
2007104338.tif 000007
【図３】
2007104338.tif 000008
【図４】
2007104338.tif 000009
【図７】
2007104338.tif 000010
【図８】
2007104338.tif 000011
【図９】
2007104338.tif 000012
【図１０】
2007104338.tif 000013
【図１２】
2007104338.tif 000014